(57)【要約】  特に、ラックアンドピニオン式の線形駆動装置は、支持部材（１．１、１．２）上又は支持部材内に取付けられた少なくとも１つの駆動素子（２）を含んで構成されている。駆動素子（２）は、場合によっては伝動装置（３）を介して、線形案内部材（５）と共動するピニオン（４）を直接か又は間接的に駆動し、支持部材（１．１、１．２）は少なくとも１つのアクチュエータ（１２．１〜１２．３）を介して、受容素子（６）に対して可動に構成されていることを特徴とする。
2007522403.tif 000002
【特許請求の範囲】
【請求項１】
直接か又は間接に、場合によっては組込まれた伝動装置（３）を介して、線形案内部材（５）と共動するピニオン（４）を駆動させる、少なくとも１つの駆動素子（２）を有する支持部材（１．１、１．２）上又は該支持部材内に取付けられた、特にラックアンドピニオン式線形駆動装置であって、
支持部材（１．１、１．２）が少なくとも１つのアクチュエータ（１２．１〜１２．３）を介して受容素子（６）に対して可動に構成されていることを特徴とする線形駆動装置。
【請求項２】
直接か又は間接に、場合によっては組込まれた伝動装置（３）を介して、線形案内部材（５）と共動するピニオン（４）を駆動させる、少なくとも１つの駆動素子（２）を有する支持部材（１．１、１．２）上又は該支持部材内に取付けられた、特にラックアンドピニオン式線形駆動装置であって、
ピニオン（４）と線形案内部材（５）の間に常に遊びが無いか及び／又は歯面が常に接触することを確実にするため、ピニオン（４）の水平及び／又は垂直方向の力の測定値に応じて、支持部材（１．１、１．２）は少なくとも１つのアクチュエータ（１２．１〜１２．３）により、受容素子（６）に対して、規制可能か、可動か又はプレストレス負荷可能に制御されることを特徴とする線形駆動装置。
【請求項３】
支持部材（１．１、１．２）は、受容素子（６）に対して上下に直線的に可動なように、少なくとも１つの案内素子（１１）に連結されていることを特徴とする請求項１又は請求項２に記載の線形駆動装置。
【請求項４】
板バネ素子（１０）としての案内素子（１１）は、線形案内部材、ニードルベアリングなどとして形成されていることを特徴とする請求項３に記載の線形駆動装置。
【請求項５】
支持部材（１．１、１．２）は受容素子（６）からやや隔たって互いに平行に配置されていることを特徴とする請求項１ないし請求項４のいずれか１項に記載の線形駆動装置。
【請求項６】
支持部材（１．１）及び受容素子（６）の上側（８）及び下側（９）の各側面において受容素子（６）及び支持部材（１）はフランジ部において各板バネ素子（１０）により互いに連結されていることを特徴とする請求項４又は請求項５に記載の線形駆動装置。
【請求項７】
受容素子（６）の片側又は両側に、連結部材（１３）が支持部材（１．１）の凹部（１５）に少なくとも部分的に嵌合し、支持部材（１．１）のフランジと連結部材（１３）の間に少なくとも１つのアクチュエータ（１２．１、１２．２）が組込まれていることを特徴とする請求項１ないし請求項６のいずれか１項に記載の線形駆動装置。
【請求項８】
アクチュエータ（１２．１、１２．２）は圧電アクチュエータ、形状記憶アクチュエータ、電気式アクチュエータ、機械式アクチュエータ又は油圧式アクチュエータとして形成されていることを特徴とする請求項１ないし請求項７のいずれか１項に記載の線形駆動装置。
【請求項９】
少なくとも１つの力−及び／又は移動センサ（１６）が少なくとも１つの案内素子（１１）に配置されていることを特徴とする請求項４ないし請求項８のいずれか１項に記載の線形駆動装置。
【請求項１０】
少なくとも１つの力−及び／又は移動センサ（１６）がアクチュエータ（１２．１〜１２．３）に配置されていることを特徴とする請求項１ないし請求項９のいずれか１項に記載の線形駆動装置。
【請求項１１】
少なくとも１つの力−及び／又は移動センサ（１６）が連結部材（１３）、特にアクチュエータ（１２．１、１２．２）を受容する部分に配置されていることを特徴とする請求項７ないし請求項１０のいずれか１項に記載の線形駆動装置。
【請求項１２】
少なくとも１つの力−及び／又は移動センサ（１６）が駆動素子（２）及び／又は伝動装置（３）に配置されていることを特徴とする請求項１ないし請求項１１のいずれか１項に記載の線形駆動装置。
【請求項１３】
楔（１８）を直線状に移動させるウォーム式駆動装置（１７）としてのアクチュエータ（１２．３）が支持部材（１．２）の上側（８）に載置されていることを特徴とする請求項１ないし請求項６のいずれか１項に記載の線形駆動装置。
【請求項１４】
支持部材（１．２）のウォーム式駆動装置（１７）の楔（１８）と共動するフランジ（１９）が受容素子（６）に配置されていることを特徴とする請求項１３に記載の線形駆動装置。
【請求項１５】
場合によっては、組込まれた伝動装置（３）を介して、線形案内部材（５）と共動するピニオン（４）を駆動させる、少なくとも１つの駆動素子（２）を有する支持部材（１．１、１．２）上又は該支持部材内に取付けられた、特にラックアンドピニオン式の線形駆動装置（Ｒ１、Ｒ２）の駆動方法であって、
ピニオン（４）の線形案内部材（５）への水平方向及び／又は垂直方向の力を測定することにより、ピニオン（４）と線形案内部材（５）の間に常に遊びが無く及び／又は双方の歯面が常に接触を維持できるように、線形案内部材（５）への押圧力が規定され且つ／又は調整されることを特徴とする線形駆動装置の駆動方法。
【請求項１６】
作動中に加速度及び／又は速度及び／又は荷重及び／又は自重が変化すると、常に水平方向及び／又は垂直方向の力を測定することにより、アクチュエータ（１２．１、１２．２）を制御するためにピニオン（４）と線形案内部材（５）の間の押圧力が規定され及び／又は変更され及び／又は規制されることを特徴とする請求項１５に記載の線形駆動装置の駆動方法。
【請求項１７】
ピニオン（４）と線形案内部材（５）の間に常に遊びが無く及び／又は双方の歯面が常に接触を維持できるように、ピニオン（４）と線形案内部材（５）の間の押圧力は、作動中の加速度に依存するように制御されることを特徴とする請求項１５又は請求項１６に記載の線形駆動装置の駆動方法。
【請求項１８】
案内素子（１１）、特に板バネ素子（１０）を介して、アクチュエータ（１２．１〜１２．３）により押圧力が調整され且つ作動中に加速度及び／又は荷重及び／又は速度が変化すると押圧力は常に変更され且つ／又は適合されることを特徴とする請求項１５ないし請求項１７のいずれか１項に記載の線形駆動装置の駆動方法。
【発明の詳細な説明】
【技術分野】
【０００１】
本発明は、直接か又は間接に、場合によっては組込まれた伝動装置を介して、線形案内部材と共動するピニオンを駆動させる、少なくとも１つの駆動素子を有する支持部材上又は支持部材内に取付けられたラックアンドピニオン式線形駆動装置並びに線形駆動装置の駆動方法に関する。
【背景技術】
【０００２】
多様な形式で多様な動作をする線形駆動装置又はラックアンドピニオン式駆動装置が上市され、実施されている。これらの駆動装置では、伝動装置の遊びを調整するために、駆動素子、場合によっては組込まれた伝動装置を用いて共通の駆動索を介して線形案内部材と共動するピニオンが駆動される。通常はピニオンと線形案内部材の間に、僅かな遊び、特に歯面の遊びがあるので、ピニオン及び線形案内部材の歯面に影響される。
【０００３】
従来の線形駆動装置又はピニオン及びラックを有するラックアンドピニオン式駆動装置では、例えば伝動装置の剛性が不安定であるので、装置の正確性及び機動性が著しく阻害されるとの問題があった。更に、ピニオン及び線形案内部材の歯面は、時には遊びの原因となる磨耗に左右される。伝動装置の大きなプレストレスにより、磨耗並びに不正確さが増大し、極めて大きな伝動装置を組込む必要が生じる。
【０００４】
その上、線形案内部材における荷重、速度及び加速度並びに不正確さに応じて異なった磨耗が生じるか又は生産の精度により最初から磨耗を伴っているので、ピニオンへの押圧力は一定ではない。
【０００５】
更に、熱膨張による線形案内部材の不正確さは調整されず、線形案内部材及びピニオンにそれぞれ磨耗が生じる。しかし、今日では、線形案内部材に対して可動な線形駆動装置又は固定した線形駆動装置に対して可動な線形駆動装置により正確さが要求されるようになった。この要求は、従来の線形駆動装置では確実には満たすことができない。
【０００６】
このような線形駆動装置は、例えば、全ての工作機械、レーザ加工機、フライス盤、木材加工レーザなどに使用することができる。
【発明の開示】
【発明が解決しようとする課題】
【０００７】
本発明は、上記の従来の技術による線形駆動装置における問題を解決するために考えられたものであり、簡単、効果的且つ経済的な方法で、作動中の線形案内部材に対するピニオンのプレストレスが選択可能で、荷重及び加速度が変更可能である線形駆動装置を提供することにある。更に、駆動電流消費量を減らし、ピニオン及び線形案内部材並びに伝動素子の全体の剛性を高めて、磨耗を減らすことが本発明の目的である。
【課題を解決するための手段】
【０００８】
上記課題は、請求項１及び以下の請求項に記載した特徴により解決される。
【０００９】
本発明では、アクチュエータにより、ピニオンを連結する駆動素子及び／又は伝動素子を受容する支持部材が、固定した受容素子に対して可動に設定される。
【発明を実施するための最良の形態】
【００１０】
本発明による駆動装置は、好ましくは板バネ素子、円筒状などに形成した線形案内部材を備え、所定のプレストレス又は選択可能なプレストレスが確実に得られるように構成している。選択されたプレストレスは動作中には常に一定に保たれ、ピニオンへ作用する力を力−及び／又は移動センサにより常に測定し、アクチェータにより制御される。このように、プレストレスは作動中には常に一定に保たれる。予圧及び／又は押圧力用の力センサを装置に組込むと、アクチュエータを介して、押圧力が調節可能になる。これにより、ピニオンは、常に一定の選択可能なプレストレスにより線形案内部材に作用し、荷重及び／又は加速度及び／又は速度に対応する押圧力を動作に適合させるか又は変化させる。これにより、機械の正確性且つ機動性が高まり、確実に遊びの無いように構成され、例えばレーザ切断、レーザ打抜き機など高速の補助装置を有する例えば金型加工機において高い性能が確実に実現される。更に、適応範囲が広いので、極めて限られた施工方式に対しても、作動中に最小限の磨耗で且つ僅かな保守経費の迅速な組立て法を適応できる。
【００１１】
比較的大きな調整手段により、製造による誤差、磨耗及び熱膨張が大きくても、遊びの無い状態が達成されるのみならず、駆動素子の位置並びに線形案内部材の整列及び直線性の調整を省略して、簡単に組立てられる。
【実施例】
【００１２】
以下、図面を用いて、実施例に基づき本発明の利点、特徴及び詳細を説明する。
【００１３】
図１に示すように、線形駆動装置Ｒ１は、場合によってはピニオン４を載置した伝動装置３と共に駆動素子２を受容する、ほぼ板状に形成された支持部材１．１を備えている。ピニオン４は線形案内部材５と共動するか又は嵌合している。ピニオン４を、例えば歯車として形成し、対応する線形案内部材５の歯面に嵌合させてもよい。
【００１４】
本発明の範囲において、例えば、線形駆動装置Ｒ１を線形案内部材５に対して可動にして、ピニオン４が駆動されるようにするか、又は、線形駆動装置Ｒ１を土台又は基礎に固定して、線形案内部材５を駆動しても良い。線形案内部材５としては、ラック、直線の案内部材、曲線状のレール又は環状のレールを予定してもよい。本発明はこれに限定するものではない。例えば、摩擦による噛み合いによってピニオン４は線形案内部材５と簡単に共動し、線形駆動装置Ｒ１を移動させるか又は線形案内部材５が線形駆動装置Ｒ１に対して移動させることも考えられる。
【００１５】
本実施例においては、駆動素子２及び／又はピニオン４を載置した伝動装置３は、受容素子６の開口部７を貫通している。受容素子６は固定的に形成するか又は配置することが好ましい。受容素子６は板状に形成され、支持部材１．１に密着するか、僅かに離して配置されている。
【００１６】
上側８及び下側９において、支持部材１．１並びに受容素子６、好ましくはそれぞれの側面は、板バネ素子１０として形成された案内素子１１によって互いに連結されている。案内素子１１又は板バネ素子１０は、双方向矢印Ｘで示すように、線形案内部材５又は受容素子６に対して支持部材１．１を移動し易くしている。
【００１７】
支持部材１．１を受容素子６に対して双方向矢印Ｘで示すように上下に移動させ、従って駆動素子２及び／又は伝動装置３又はそのピニオン４を線形案内部材５に対して双方向矢印Ｘで示すように上下に移動させるために、少なくとも１つのアクチュエータ１２．１、１２．２が、受容素子６に配置した連結部材１３を介して、支持部材１．１と受容素子６の間に配置されている。連結部材１３は、支持部１．１の凹部１５に部分的に食い込んでいるフランジ１４を備えている。このフランジ１４と支持部材１．１の符号の付いていないフランジの間に、アクチュエータ１２．１、１２．２が、好ましくは圧電アクチェータとして挿入されている。これにより、例えば膨張に対しても、双方の歯面が遊び無く確実に接触できるように、ピニオン４が線形案内部材５に対して常に移動する。
【００１８】
従って、ピニオン４と線形案内部材５の間の遊びを確実に無くすために、力−及び／又は移動センサ１６が案内素子１１又は板バネ素子１０に配置され、押圧力として必要な力又はプレストレスが正確に決めている。また、力−及び／又は移動センサ１６は連結部材１３及び／又はアクチェータ１２．１．１２．２に配置してもよい。
【００１９】
ピニオン４又は支持部材１．１への力を間接的に常に測定できるように、水平方向及び垂直方向の力を測定可能な力−及び／又は移動センサ１６を駆動素子２及び／又は伝動装置３に配置することも本発明の範囲である。ピニオン４と線形案内部材５の間に遊びの無いこと及び／又は双方の歯面の接触を確実に適合、規制、調整又は変更できるように、送り又は加速度の変更に対応して押圧力又はプレストレスを常に制御可能にしている。
【００２０】
このように、操作中の加速度又は負荷の変更、又は負荷の増減に応じてピニオン４と線形案内部材５の間の押圧力を制御し、ピニオン４と線形案内部材５の間は常に遊びが無いことが保証される。これにより、線形駆動装置Ｒ１を線形案内部材５に対してか又は線形案内部材５を固定した線形駆動装置Ｒ１に対して極めて正確且つ精密に移動させることができる。
【００２１】
本発明による別の実施例として、上記とほぼ同様の部品を備えた別の線形駆動装置Ｒ２を図２の（ａ）、（ｂ）に示す。
【００２２】
両側に設置したアクチュエータ１２．１、１２．２の代わりに、上側８において支持部材１．２に固定したウォーム式駆動装置１７としてのアクチュエータ１２．３を備えている。
【００２３】
支持部材１．２は受容素子６から僅かに隔たっている。支持部材１．２と受容素子６は板バネ素子１０として形成された案内素子１１を介して互いに連結されている。板バネ素子１０は支持部材１．２又は受容素子６の不図示のフランジに配置され、それと連結している。板バネ素子１０は線形案内部材を図の双方向矢印Ｘの方向に可動とし、好適な実施例では受容素子６は固定されている。案内素子１１としての板バネ素子１０の代わりに、線形案内部材５が燕尾状の線形案内部材を備えてもよい。本発明はこれに限定されるものではない。
【００２４】
ウォーム式駆動装置１７は、軸及び双方向矢印Ｙの方向に可動の楔１８と連結している。楔１８は、上側８の近辺において受容素子６より垂直にやや突出し受容素子に固定されたフランジ１９と連結している。
【００２５】
楔１８を双方向矢印Ｙ方向に移動させることにより、支持部材１．２は受容素子６に対して双方向矢印Ｘの方向を上下に移動する。このようにして支持部材１．２、駆動素子２及び／又はピニオン４を連結した伝動装置３は線形案内部材５に対して双方向矢印Ｘの方向に移動し、遊びが無く且つ双方の歯面が正確に接触し、駆動及び制御が確実に行われる。
【００２６】
ここでも、ピニオン４の駆動時に線形案内部材５への水平及び垂直な力を測定する力−及び／又は移動センサ１６が駆動素子２及び／又は伝動装置３に配置されている。力を測定することにより、加速度、荷重などのパラメータが変化するとピニオン４又は支持部材１．２が受容素子６に対して移動しそれにより押圧力が変化するように、アクチュエータ１２．３又はウォーム式駆動装置１７を作動させる。
【００２７】
更に、作動中の力又はプレストレスを測定し且つアクチュエータ１２．３を作動させることにより押圧力を制御又は変化させるように、バネ板１０に力−及び／又は移動センサ１６を備えてもよい。
【００２８】
圧電アクチェータ又は楔を有するウォーム式駆動装置の代わりに、カム式駆動装置、前クランク式駆動装置又はクランクを有するウォーム式駆動装置を用いてもよい。本発明はこれに限定されるものではない。
【図面の簡単な説明】
【００２９】
【図１】本発明による線形駆動装置の一実施例の斜視図
【図２】本発明による線形駆動装置の別の実施例を示す図：（ａ）正面斜視図；（ｂ）背面斜視図
【符号の説明】
【００３０】
１    支持部材
２    駆動素子
３    伝動装置
４    ピニオン
５    線形案内部材
６    受容素子
７    開口部
８    上側
９    下側
１０  板バネ素子
１１  案内素子
１２  アクチュエータ
１３  連結部材
１４  フランジ
１５  凹部
１６  力−及び／又は移動センサ
１７  ウォーム式駆動装置
１８  楔
１９  フランジ
Ｒ１  線形駆動装置
Ｒ２  線形駆動装置
Ｘ    双方向矢印
Ｙ    双方向矢印
【図１】
2007522403.tif 000003
【図２】
2007522403.tif 000004
【手続補正書】
【提出日】平成18年5月8日(2006.5.8)
【手続補正１】
【補正対象書類名】特許請求の範囲
【補正対象項目名】全文
【補正方法】変更
【補正の内容】
【特許請求の範囲】
【請求項１】
直接か又は間接に、場合によっては組込まれた伝動装置（３）を介して、線形案内部材（５）と共動するピニオン（４）を駆動させる、少なくとも１つの駆動素子（２）を有する支持部材（１．１、１．２）上又は該支持部材内に取付けられた、特にラックアンドピニオン式線形駆動装置であって、
ピニオン（４）と線形案内部材（５）の間に常に遊びが無いか及び／又は歯面が常に接触することを確実にするため、ピニオン（４）の水平及び／又は垂直方向の力の測定値に応じて、支持部材（１．１、１．２）は少なくとも１つのアクチュエータ（１２．１〜１２．３）により、受容素子（６）に対して、規制可能か、可動か又はプレストレス負荷可能に制御され、
前記ピニオンへの押圧力は作動中の荷重及び／又は加速度及び／又は速度に対応して適合可能か又は変更可能であることを特徴とする線形駆動装置。
【請求項２】
支持部材（１．１、１．２）は、受容素子（６）に対して上下に直線的に可動なように、少なくとも１つの案内素子（１１）に連結されていることを特徴とする請求項１に記載の線形駆動装置。
【請求項３】
板バネ素子（１０）としての案内素子（１１）は、線形案内部材、ニードルベアリングなどとして形成されていることを特徴とする請求項２に記載の線形駆動装置。
【請求項４】
支持部材（１．１、１．２）は受容素子（６）からやや隔たって互いに平行に配置されていることを特徴とする請求項１ないし請求項３のいずれか１項に記載の線形駆動装置。
【請求項５】
支持部材（１．１）及び受容素子（６）の上側（８）及び下側（９）の各側面において受容素子（６）及び支持部材（１）はフランジ部において各板バネ素子（１０）により互いに連結されていることを特徴とする請求項３又は請求項４に記載の線形駆動装置。
【請求項６】
受容素子（６）の片側又は両側に、連結部材（１３）が支持部材（１．１）の凹部（１５）に少なくとも部分的に嵌合し、支持部材（１．１）のフランジと連結部材（１３）の間に少なくとも１つのアクチュエータ（１２．１、１２．２）が組込まれていることを特徴とする請求項１ないし請求項５のいずれか１項に記載の線形駆動装置。
【請求項７】
アクチュエータ（１２．１、１２．２）は圧電アクチュエータ、形状記憶アクチュエータ、電気式アクチュエータ、機械式アクチュエータ又は油圧式アクチュエータとして形成されていることを特徴とする請求項１ないし請求項６のいずれか１項に記載の線形駆動装置。
【請求項８】
少なくとも１つの力−及び／又は移動センサ（１６）が少なくとも１つの案内素子（１１）に配置されていることを特徴とする請求項３ないし請求項７のいずれか１項に記載の線形駆動装置。
【請求項９】
少なくとも１つの力−及び／又は移動センサ（１６）がアクチュエータ（１２．１〜１２．３）に配置されていることを特徴とする請求項１ないし請求項８のいずれか１項に記載の線形駆動装置。
【請求項１０】
少なくとも１つの力−及び／又は移動センサ（１６）が連結部材（１３）、特にアクチュエータ（１２．１、１２．２）を受容する部分に配置されていることを特徴とする請求項６ないし請求項９のいずれか１項に記載の線形駆動装置。
【請求項１１】
少なくとも１つの力−及び／又は移動センサ（１６）が駆動素子（２）及び／又は伝動装置（３）に配置されていることを特徴とする請求項１ないし請求項１０のいずれか１項に記載の線形駆動装置。
【請求項１２】
楔（１８）を直線状に移動させるウォーム式駆動装置（１７）としてのアクチュエータ（１２．３）が支持部材（１．２）の上側（８）に載置されていることを特徴とする請求項１ないし請求項５のいずれか１項に記載の線形駆動装置。
【請求項１３】
支持部材（１．２）のウォーム式駆動装置（１７）の楔（１８）と共動するフランジ（１９）が受容素子（６）に配置されていることを特徴とする請求項１２に記載の線形駆動装置。
【請求項１４】
場合によっては、組込まれた伝動装置（３）を介して、線形案内部材（５）と共動するピニオン（４）を駆動させる、少なくとも１つの駆動素子（２）を有する支持部材（１．１、１．２）上又は該支持部材内に取付けられた、特にラックアンドピニオン式の線形駆動装置（Ｒ１、Ｒ２）の駆動方法であって、
ピニオン（４）の線形案内部材（５）への水平方向及び／又は垂直方向の力を力センサを用いて測定することにより、ピニオン（４）と線形案内部材（５）の間に常に遊びが無く及び／又は双方の歯面が常に接触を維持できるように、線形案内部材（５）への押圧力が規定され且つ／又は調整され、
前記ピニオンへの押圧力は作動中の荷重及び／又は加速度及び／又は速度に対応して適合可能か又は変更可能であることを特徴とする線形駆動装置の駆動方法。
【請求項１５】
作動中に加速度度及び／又は速度及び／又は荷重及び／又は自重が変化すると、常に水平方向及び／又は垂直方向の力を測定することにより、アクチュエータ（１２．１、１２．２）を制御するためにピニオン（４）と線形案内部材（５）の間の押圧力が規定され及び／又は変更され及び／又は規制されることを特徴とする請求項１４に記載の線形駆動装置の駆動方法。
【請求項１６】
ピニオン（４）と線形案内部材（５）の間に常に遊びが無く及び／又は双方の歯面が常に接触を維持できるように、ピニオン（４）と線形案内部材（５）の間の押圧力は、作動中の加速度度に依存するように制御されることを特徴とする請求項１４又は請求項１５に記載の線形駆動装置の駆動方法。
【請求項１７】
案内素子（１１）、特に板バネ素子（１０）を介して、アクチュエータ（１２．１〜１２．３）により押圧力が調整され且つ作動中に加速度度及び／又は荷重及び／又は速度が変化すると押圧力は常に変更され且つ／又は適合されることを特徴とする請求項１４ないし請求項１６のいずれか１項に記載の線形駆動装置の駆動方法。
【手続補正２】
【補正対象書類名】明細書
【補正対象項目名】０００６
【補正方法】変更
【補正の内容】
【０００６】
このような線形駆動装置は、例えば、全ての工作機械、レーザ加工機、フライス盤、木材加工レーザなどに使用することができる。
米国特許第３，８２８，６２２号明細書には、機盤がラックに対して前後に移動可能なピニオンにより駆動される金型加工機が開示されている。そこでは、バネ駆動のローラにより、ラックがピニオンに押圧されるように構成されている。
独国特許出願公開第１７５２４３２号明細書には、菅曲げ機械が作動中に遊びを増加させる装置が記載されており、純粋に機械的な方法により、長穴を介して２つの軸が入れ替わるように構成されている。
米国特許第４，３０５，３０７号明細書は、ラック上の２つの歯車間の遊びがトーションバネにより、調整可能であることを記載している。
米国特許第４，５５０，６２６、第３，５８５，８７５、第４，１３０，０２４、及び第３，４３９，５５４号明細書には、線形駆動装置が開示されており、そこでは、バネ素子を介して純機械的に遊びを調整している。
欧州特許第０５５２８３５号明細書には、可変の機械的プレストレスを用いた伝動装置が開示されている。機械的プレストレスを変更するために、モータの電流信号に応じて、押圧力を変化させている。モータの電流に応じて、コイルへの電流を制御することにより、押圧力が変化する。
【国際調査報告】
2007522403.tif 000005
2007522403.tif 000006
2007522403.tif 000007
2007522403.tif 000008
2007522403.tif 000009
2007522403.tif 000010